(57)【要約】【課題】  水路にて多水量のとき、水路周囲の水のため水路が持ち上げられ水路が湾曲蛇行されることを防止する。また逆に、少水量のとき水路内に水溜りや汚泥など堆積部位ができてドブ臭くなる、水草が繁殖して水抵抗となることを防止する。【解決手段】  側壁と底壁を持つ上部開放型の水路施工用ブロック製品であって、底壁の内部にひとつ以上の流水孔が流水方向に貫通して開けられている水路施工用ブロック製品。多水量のとき周囲の水を側壁から底壁内部流水孔に導いて排水しブロックの浮き上がりを防止する。少水量のとき水路の水を底壁内部流水孔に導いて排水し底内壁に水が滞留することを防止する。【選択図】  図１
2005090017.tif 000002
【特許請求の範囲】
【請求項１】
側壁と底壁に囲まれた上部水路と底壁内部の下部水路との上下二段式の水路を施工するための水路用ブロック製品であって、内部にブロックの上流端から下流端まで貫通した複数の流水孔が設けられている底壁と該底壁と断面がＵ字型をなすように連結した側壁とからなる水路用ブロック
【請求項２】
側壁外表面から底壁内の流水孔に斜行して至る側壁通水溝を有する請求項１の水路用ブロック
【請求項３】
底壁内表面から底壁内の流水孔に至る底壁通水溝を有する請求項１の水路用ブロック
【請求項４】
流水孔に連続する孔を有する流水孔延長部材が流水孔の上流端および下流端に配設され、隣接するブロックと該延長部材端を接して連結される請求項１から請求項３の水路用ブロック
【請求項５】
流水孔延長部材の外周を覆い、かつ、該延長部材上を流水方向に移動できる非透水の接続部材が該延長部材に装着され、隣接ブロックと連結する際に前記接続部材を隣接ブロックと接する部位に移動する請求項４の水路用ブロック
【請求項６】
下流端の延長部材の外サイズが上流端の延長部材の内サイズ以下であって、隣接ブロックと連結する際に下流端の延長部材先端を隣接ブロックの上流端の延長部材内に挿入する請求項４の水路用ブロック
【請求項７】
流水孔の断面形状が、円形、半円形、楕円形、半楕円形、菱形、三角形のいずれか、またはこれらの組み合わせである請求項１から請求項６に記載された水路用ブロック
【発明の詳細な説明】
【技術分野】
【０００１】
本発明は砂地、軟弱地盤地などに水路を新設する際に用いるコンクリート製等の水路用ブロック製品に関する。特に側壁と底壁に囲まれた上部水路と底壁内部の下部水路との上下二段式の水路を施工するための水路用ブロック製品に関する。
【背景技術】
【０００２】
砂地、軟弱地盤地等の水路にて集中豪雨などで水が多量になった場合、水路周囲の水のため水路が持ち上げられ水路を湾曲蛇行させてしまう恐れがある。それを防ぐため水路周囲の水を排除する必要がある。周囲水を水路側壁から水路内に導く通水溝を設ける、または、水路の下の基礎砕石のなかに暗渠管路を設ける、などの工夫がなされている。しかし、側壁通水孔には水路の水が側壁から出ないように逆流防止弁が必要である。この弁に異物がつまり易く周囲水の排除ができず逆流する、という問題がある。また暗渠管路の敷設は施工コストアップになる、という問題がある。
【０００３】
一方、水量が少ないときに水路内面に水溜りができて、汚泥などが堆積してドブ臭くなる、水草が繁殖して水抵抗になる、などの問題がある。少ない水量でも効率よく水を流すには水路下部に少流量用の水路が別にあるとよい。たとえば、側壁と底壁に囲まれた上部水路と底壁内部の下部水路との上下二段式の水路であって、下部水路が少流量用として機能するとよい。
【０００４】
一方、敷設したい水路の断面をもつ水路ブロックをプリファブ製作して、これを現場で連結して水路施工することが行われている。特許文献１〜７に従来の水路用ブロックを引用する。特許文献１は交差点の側溝ブロックで、コーナー曲線部分をプラスチック製蛇腹管で通水路を形成したものである。特許文献２は上側外面長軸全長に横溝を穿設した内部に流水通路を有する箱形ヒューム管製の側溝ブロックである。特許文献３は底壁に着脱可能なポーラスコンクリート製の透水ブロックを装着した拡水穴をもつ集排水用側溝ブロックである。特許文献４は浸透穴を側壁にあけた側溝ブロックが設置される砕石層内に穴をあけたエア−管でエア−を供給して砕石に溜まる汚物を分解、防臭や浸透穴の目詰まりを防止するものである。
【０００５】
特許文献５は各種管路を集合整理した街渠構造である。特許文献６は水路と平行した溝状ケーブル収容路が凹設されている水路用ブロックである。特許文献７は配線路部を一体化した水路用ブロックである。特許文献５〜７には水路用ブロックと管路を組み合わせで水路に電線・電線管や水道管等の経路としての機能を付加させたものが開示されている。
【０００６】
【特許文献１】特開2000-291113号公報「コーナー用側溝ブロック及びこのコーナー用側溝ブロックの製造方法」新潟高圧工業株式会社
【０００７】
【特許文献２】特許第2882764号公報「排水装置付側溝ブロック」アーボ株式会社
【０００８】
【特許文献３】特許第2784898号公報「雨水等の浸透用側溝構造」前田製管株式会社
【０００９】
【特許文献４】特開平05-311729号公報「浸透性側溝の管理方法および浸透性側溝」株式会社テラコン
【００１０】
【特許文献５】特開平11-286983号公報「多目的街渠構造」エス・ケー・エンジニアリング株式会社
【００１１】
【特許文献６】特開平11-247276号公報「水路用ブロック」昭和コンクリート工業株式会社他
【００１２】
【特許文献７】特開平11-178186号公報「水路用ブロック」昭和コンクリート工業株式会社他
【発明の開示】
【発明が解決しようとする課題】
【００１３】
砂地、軟弱地盤地などの水路にて集中豪雨など水量が多量になった場合に、水路周囲の水のために水路が持ち上げられ水路を湾曲蛇行させてしまうことを防止する。また逆に水量が少ないときに水路内面に水溜りができるので、汚泥などが溜まりドブ臭くなる、水草が繁殖して水抵抗になる、という問題を解決する。具体的には側壁と底壁に囲まれた上部水路と底壁内部の下部水路との上下二段式の水路で、多水量にては下部水路が周囲水の排水、少流量にては水路底部の滞留を防止する速やかな排水用として機能する上下二段式水路の施工用プリファブ水路ブロック製品を提供する。
【課題を解決するための手段】
【００１４】
本案は（請求項１）側壁と底壁に囲まれた上部水路と底壁内部の下部水路との上下二段式の水路を施工するための水路用ブロック製品であって、内部にブロックの上流端から下流端まで貫通した複数の流水孔が設けられている底壁と該底壁と断面がＵ字型をなすように連結した側壁とからなる水路用ブロックである。
【００１５】
水道管・電線管を組み合わせた水路ブロックは特許文献で引用したように公知であるが、本案は上下二段式の水路で、底壁内部を貫通した流水孔による下部水路に問題解決のための機能を分担させたことに特徴がある。すなわち、多水量のときの仕様として、側壁外表面から底壁内の下部水路に至る側壁通水溝ＳＨを有し、多水量時に周囲から水を排除し水路が持ち上げられ湾曲蛇行させてしまうことを防ぐ（請求項２、図１参照）。ここで側壁通水溝ＳＨにつながる底壁内の特定の流水孔Ｃは周辺水の排除専用である。よって従来のように逆流防止弁は必要としない。当然、弁に異物がつまり周囲水の排除ができず逆流するという問題がない。ただし側壁通水溝ＳＨの適当な部位に簡単な閉塞防止手段（フィルタ）を配設するのが好ましい。
【００１６】
一方、少水量のときの仕様として、底壁内表面から底壁内の流水孔に至る底壁通水溝ＢＨを有する（請求項３、図８参照）。水量が少ないときに、底壁内表面の水は前記の底壁通水溝から底壁流水孔に流下して排水され、底壁内表面は乾燥する。よって、水路内面に水溜りができ汚泥などの滞留でドブ臭くなる、水草が繁殖して水抵抗になる、などの問題が解決される。この底壁通水溝につながる底壁内の流水孔は少水量時の通水専用である。図６は水量が少ないときの本案ブロック断面、と水量が多いときの本案ブロック断面である。
【００１７】
多水量仕様である図１、少水量仕様である図８共に（ａ）が本案ブロックの平面図、（ｂ）が（ａ）のｂ−ｂ断面図、（ｃ）が（ａ）のｃ−ｃ断面図である。図１・図８のＢはブロックの底壁、ＢＨは底壁内表面から底壁内の流水孔に至る底壁通水溝、Ｃはブロックの上流端から下流端まで貫通した流水孔、Ｓはブロックの側壁、ＳＨは側壁から底壁流水孔に至る側壁通水溝、ＳＸはＳＨの閉塞防止手段（フィルタ）である。もちろんＳＸは側壁通水溝ＳＨの適当な部位に配設すればよく、図示されるような側壁外、ＳＨの内部、ＳＨとＣの接合部のどこでもよい。
【００１８】
前記の多水量仕様および少水量仕様とは、別個の製品でもよいが、図７のような断面の製品としてこれらのふたつを兼ね備えたものも製造可能である。すなわち図７は、底壁内表面から底壁内の流水孔に至る底壁通水溝ＢＨのみを有する少水量時の通水専用の底壁流水孔ＢＺと、側壁から底部流水孔に至る側壁通水溝ＳＨのみを有する側壁からの排水専用の底壁流水孔ＳＺをもつ。
【００１９】
隣接する本案ブロック同士の連結については、図１・図８のＪに示す流水孔Ｃを外部に延長する延長部材を利用するとよい。すなわち（請求項４）、流水孔に連続する孔を有する流水孔延長部材が流水孔の上流端および下流端に配設され、隣接するブロックと該延長部材端を接して連結する。ここで（請求項５）、流水孔延長部材に該部材の外周を覆い、かつ、該部材上を流水方向に移動できる非透水の接続部材ＪＪが装着され、隣接ブロックと連結する際に該接続部材を隣接ブロックと接する部位に移動する態様がある（図２参照）。
【００２０】
連結の別態様については（請求項６）、下流端の延長部材の外サイズが上流端の延長部材の内サイズ以下であって、隣接ブロックと連結する際に下流端の延長部材先端を隣接ブロックの上流端の延長部材内に挿入する態様がある（図３参照）。図２および図３中、Ｊは流水孔に連続した孔を有し流水孔を外部に延長する延長部材、ＪＪは延長部材Ｊの外周を覆い延長部材上を流水方向に移動できる非透水の接続部材、ＪＸは外サイズがブロック上流端の延長部材の内サイズ以下である下流端延長部材、ＪＹは内サイズがブロック下流端の延長部材の外サイズ以上である上流端延長部材、Ｎ１は隣接する上流側ブロック、Ｎ２は隣接する下流側ブロックである。
【００２１】
また、ブロック連結時に連結端部にはコンクリートまたはモルタルが打設される。したがって、ブロック上下流端の底壁下部の一部分はなくてもよい（図５参照）。図５（ａ）がＪの下部のブロック底壁がない本案水路用ブロックの平面図、図５（ｂ）が（ａ）のｂ−ｂ断面図、図５（ｃ）が隣接するブロックの接続後にＪ、ＪＪ部をconで埋殺す施工の説明図である。
【００２２】
以上の本案水路ブロックにて（請求項７）、ブロック底壁内流水孔の断面形状が、円形、半円形、楕円形、半楕円形、菱形、三角形のいずれか、またはこれらの組み合わせであってもよい（図４参照）。円形、半円形、楕円形、半楕円形、菱形、三角形の組み合わせ断面形状の図は略す。これは断面の形状の組み合わせであるが、ひとつのブロックで円形、半円形、楕円形、半楕円形、菱形、三角形の断面形状の流水孔が組み合わせられていてもよい。こういった形状のオス型をブロックのコンクリート等の成型時にいれておき、固化後に離型すれば、かかる断面の流水孔が形成される。
【００２３】
本案ブロックの底部は従来ブロックよりも比較的厚いため水路の有効断面積が減少する。よって、底部薄厚の従来ブロックより全流量が少し減るので、水路経路の現場条件をみて従来ブロックと使い分けて部分的に採用する、としてもよい。同等の薄厚従来ブロックで、その底壁内表面を本案の流水孔より低い位置とすればその従来ブロックと本案水路ブロックとは容易に連結可能である。
【発明の効果】
【００２４】
本発明水路ブロックでは、ブロック外部の水は側壁通水溝を経由し底壁内の流水孔にて速やかに排水される。よって、砂地、軟弱地盤地などの水路にて水量が多量になった場合に、水路周囲の水のために水路が持ち上げられ水路を湾曲蛇行させてしまうことを防止できる。また逆に水量が少ないときに、底部通水溝から底壁内の流水孔に流下して速やかに排水されるので滞留することない。よって水路内面に水溜りができ汚泥などが溜まりドブ臭くなる、水草が繁殖して水抵抗になる、などの問題の解決が課題される。
【発明を実施するための最良の形態】
【００２５】
底壁内の流水孔に上流から下流まで貫通して樹脂の管を挿入してもよい。樹脂は表面粗度係数が小さいので流速が早くなり水を下流へ早く流すので好ましい。しかもその上流下流端はそのまま延長部材として露出して利用することができるので好適である。側壁通水溝ＳＨおよび底部通水溝ＢＨの部位にて、樹脂の管壁にも孔を開ける必要があるがこれは容易である。樹脂の管はフレキシブルなポリエチレン製のものが好適である。このような流水孔に上流から下流まで貫通させる挿入管をブロック製造時にプリファブで行ってもよいし、現場で行ってもよい。
【００２６】
ＳＨの閉塞防止手段（フィルタ）ＳＸは、たとえば田中株式会社の商品名「ニードフルマット」が好適である。また前記のフレキシブルなポリエチレン製の管はカナフレックス株式会社の商品名「カナパイプ」、三晃プラスチックス株式会社の商品名「ポリナイトパイプ」などが好適である。
【産業上の利用可能性】
【００２７】
本案は新設のみでなくたとえば、既存水路の一部分に砂地、軟弱地盤地があったときなどに、その部分だけ本案ブロックを設置施工する、といった水路の補修・補強にも利用できる。
【図面の簡単な説明】
【００２８】
【図１】（ａ）周囲に水が多いときに適した本案水路用ブロックの平面図、（ｂ）（ａ）のｂ−ｂ断面図、（ｃ）（ａ）のｃ−ｃ断面図、（ｄ）（ａ）のｄ−ｄ断面図
【図２】延長部材Ｊの外周を覆い流水方向に移動できる非透水の接続部材ＪＪを用いた本案ブロックの接続例
【図３】外サイズがブロック上流端の延長部材ＪＹの内サイズ以下である下流端延長部材ＪＸを用いた本案ブロックの接続例
【図４】ブロック底部内流水孔の断面が楕円形または半（楕）円形または菱形または三角形である本案例図
【図５】（ａ）Ｊの下部のブロック底壁がない本案水路用ブロックの平面図、（ｂ）（ａ）のｂ−ｂ断面図、（ｃ）隣接するブロックの接続後にＪ、ＪＪ部をconで埋殺す施工の説明図
【図６】（ａ）水量が少ないときの本案ブロック路断面、（ｂ）水量が多いときの本案ブロック路断面
【図７】ＢＨのみを有する少水量時の通水専用の底壁流水孔ＢＺとＳＨのみを有する側壁からの排水専用の底壁流水孔ＳＺをもつ実施態様説明図
【図８】（ａ）水量が少ないときに適した本案水路用ブロックの平面図、（ｂ）（ａ）のｂ−ｂ断面図、（ｃ）（ａ）のｃ−ｃ断面図、（ｄ）（ａ）のｄ−ｄ断面図
【符号の説明】
【００２９】
Ｂ    ブロックの底壁
ＢＨ  底壁内表面から底壁内の流水孔に至る底壁通水溝
ＢＺ  ＢＨのみを有する少水量時の通水専用の底壁流水孔
Ｃ    ブロックの上流端から下流端まで貫通した流水孔
con  コンクリートまたはモルタル
Ｊ    流水孔に連続した孔を有し流水孔を外部に延長する延長部材
ＪＪ  延長部材Ｊの外周を覆い延長部材上を流水方向に移動できる非透水の接続部材
ＪＸ  外サイズがブロック上流端の延長部材の内サイズ以下である下流端延長部材
ＪＹ  内サイズがブロック下流端の延長部材の外サイズ以上である上流端延長部材
Ｎ１  隣接する上流側ブロック
Ｎ２  隣接する下流側ブロック
Ｓ    ブロックの側壁
ＳＨ  側壁から底部流水孔に至る側壁通水溝
ＳＸ  ＳＨの閉塞防止手段（フィルタ）
ＳＺ  ＳＨのみを有する側壁からの排水専用の底壁流水孔
【図１】
2005090017.tif 000003
【図２】
2005090017.tif 000004
【図３】
2005090017.tif 000005
【図４】
2005090017.tif 000006
【図５】
2005090017.tif 000007
【図６】
2005090017.tif 000008
【図７】
2005090017.tif 000009
【図８】
2005090017.tif 000010